(57)【要約】【課題】裏写りを抑制して原稿の読み取り品質を向上する。原稿の透光姓が高い場合でも、裏写りの無いコピーを得る。【解決手段】プリントアウト画像の画像情報およびプリント設定情報を蓄積する情報蓄積手段６３０；原稿スキャナ３００，６２４／５０２；該原稿スキャナで画像を読取る原稿の、読み取り面の裏面の画像の画像情報およびプリント設定情報を情報蓄積手段６３０から読出す手段３０１／５０９ａ，６３０；および、情報蓄積手段６３０から読み出した画像情報とプリント設定情報に基づいて、原稿の読み取り面の裏面の画像相当の画像情報を左右反転して生成して、これを用いて原稿スキャナ３００／５０２で読み取った原稿の画像情報の裏写り画像を消去する画像合成処理を行う手段６１０／５０９ａ；を備える画像処理装置。更に、プリンタ（３０２〜３１１／５０３）を加えた画像形成装置。【選択図】　図５
2004040143.tif 000002
【特許請求の範囲】
【請求項１】
プリントアウト画像の画像情報およびプリント設定情報を蓄積する情報蓄積手段；
原稿スキャナ；
該原稿スキャナで画像を読取る原稿の、読み取り面の裏面の画像の画像情報およびプリント設定情報を前記情報蓄積手段から読出す手段；および、
前記情報蓄積手段から読み出した画像情報とプリント設定情報に基づいて、原稿の読み取り面の裏面の画像相当の画像情報を左右反転して生成して、これを用いて前記原稿スキャナで読み取った前記原稿の画像情報の裏写り画像を消去する画像合成処理を行う手段；
を備える画像処理装置。
【請求項２】
別の画像処理装置の、プリントアウト画像の画像情報およびプリント設定情報を蓄積する情報蓄積手段から、画像情報およびプリント設定情報を取得するための通信手段；を更に備え、前記読出す手段は、該別の画像処理装置の情報蓄積手段からも、原稿スキャナで画像を読取る原稿の、読み取り面の裏面の画像の画像情報およびプリント設定情報を読出す；請求項１に記載の画像処理装置。
【請求項３】
プリントアウト画像の画像情報およびプリント設定情報を蓄積する情報蓄積手段、ならびに、蓄積画像情報およびプリント設定情報を送信する通信手段、を有する第１画像処理装置；
原稿スキャナおよびそれが読み取った画像情報を送信する通信手段を有する第２画像処理装置；
第２画像処理装置で画像を読取る原稿の、読み取り面の裏面の画像の画像情報およびプリント設定情報を第１画像処理装置から読出す手段、および、第１画像処理装置から読み出した画像情報とプリント設定情報に基づいて、第２画像処理装置で読み取る原稿の読み取り面の裏面の画像相当の画像情報を左右反転して生成して、これを用いて第２画像処理装置で読み取った原稿の画像情報の裏写り画像を消去する画像合成処理を行う手段、を有する第３画像処理装置；
を含む画像処理装置。
【請求項４】
原稿スキャナは、原稿トレイに積載された原稿を積載順に画像読み取り位置に送給する自動原稿供給機構を有し；画像合成処理を行う手段は、情報蓄積手段から読み出した順番で蓄積画像情報およびその印刷設定情報を、原稿スキャナが順番に読み取った画像情報に自動的に割り付ける；請求項１乃至３のいずれかに記載の画像処理装置。
【請求項５】
原稿スキャナは、原稿トレイに積載された原稿を積載順に画像読み取り位置に送給する自動原稿供給機構を有し；画像合成処理を行う手段は、情報蓄積手段から読み出した蓄積画像情報およびその印刷設定情報を、使用者が指定した順番で、原稿スキャナが順番に読み取った画像情報に割り付ける；請求項１乃至３のいずれかに記載の画像処理装置。
【請求項６】
画像合成処理を行う手段は、原稿スキャナが原稿を読み取った読み取り条件で原稿の読み取り面の裏面の画像相当の画像情報を処理してから、前記裏写り画像を消去する画像合成処理に用いる；請求項１乃至５のいずれかに記載の画像処理装置。
【請求項７】
請求項１乃至６のいずれかに記載の画像処理装置、および、該画像処理装置が裏写り画像を消去した画像情報に基づいて画像を用紙上にプリントする作像手段；を備える画像形成装置。
【請求項８】
原稿スキャナ；
該原稿スキャナが読み取った原稿の画像情報をプリント出力用の画像情報に変換する画像情報処理手段；
プリント出力用の画像情報に基づいて用紙上に作像する作像手段；
プリント出力した画像の画像情報およびプリント設定情報を蓄積する情報蓄積手段；
前記原稿スキャナで画像を読取る原稿の、読み取り面の裏面の画像の画像情報およびプリント設定情報を前記情報蓄積手段又は他の画像形成装置の情報蓄積手段から読出す手段；および、
情報蓄積手段から読み出した画像情報とプリント設定情報に基づいて、原稿の読み取り面の裏面の画像相当の画像情報を左右反転して生成して、これを用いて前記原稿スキャナで読み取った前記原稿の画像情報の裏写り画像を消去する画像合成処理を行う手段；
を備える画像形成装置。
【発明の詳細な説明】
【０００１】
【発明の属する技術分野】
本発明は、両面原稿を以前に印刷した時の画像情報とプリント設定情報を利用して、その原稿を原稿スキャナで読み取る時に、その裏面の画像が表面の画像に写ってしまわないように画像処理を施し、裏写りを消去することができる画像処理装置およびそれを用いる画像形成装置に関し、例えば、原稿読み取り，コピー，ファクシミリ，プリンタの機能を有するフルカラーデジタルあるいは白黒デジタルの、複合機能複写機に用いられる。
【０００２】
【従来技術】
特開平５−２２５７２号公報は、両面原稿を読み取る時に裏面の画像も読み取りメモリに記憶し原稿表面の画像データからメモリに記憶した裏画像を減算し裏写りをなくすことを特徴にしている。特開平１０−３０４２０４号公報は、読みとられた両面原稿の画像データの裏面画像データ強度と合成技術で裏写りを除去することを特徴としている。特開平７−８７２９５号公報は、読みとられた両面原稿の画像データ画素の色濃度と閾値で画素単位に裏写りを除去することを特徴としている。
【０００３】
【発明が解決しようとする課題】
表面および裏面に画像がある原稿すなわち両面原稿の画像読み取りの時に、原稿の紙質及び原稿読取り濃度によって、本来読みとるべき原稿の表面の画像のみならず、裏側の画像を重ねて読み取ってしまう事がある。これは原稿の表，裏面の一方の読み取りのときに限らず、他方の読み取りのときも同様である。両面原稿のどちらの面の読み取りでも裏写りが発生すると、基準となる画像がなく、孤立画素等の比較データの乏しい画像に対して裏画像の限定が難しく、表，裏面の両方を読み取る裏写り除去処理でも裏写りの除去が難しい。また、一方の面の画像読み取りのために、他方の面の画像読み取りをすることは、画像読み取りの生産性を下げてしまう。
【０００４】
本発明は、裏写りを抑制して原稿の読み取り品質を向上することを目的とする。
【０００５】
【課題を解決するための手段】
（１）プリントアウト画像の画像情報およびプリント設定情報を蓄積する情報蓄積手段（６３０）；
原稿スキャナ（３００，６２４／５０２）；
該原稿スキャナで画像を読取る原稿の、読み取り面の裏面の画像の画像情報およびプリント設定情報を前記情報蓄積手段（６３０）から読出す手段（３０１／５０９ａ，　６３０）；および、
前記情報蓄積手段（６３０）から読み出した画像情報とプリント設定情報に基づいて、原稿の読み取り面の裏面の画像相当の画像情報を左右反転して生成して、これを用いて前記原稿スキャナ（３００／５０２）で読み取った前記原稿の画像情報の裏写り画像を消去する画像合成処理を行う手段（６１０／５０９ａ）；
を備える画像処理装置。
【０００６】
なお、理解を容易にするためにカッコ内には、図面に示し後述する実施例の対応要素または対応事項の符号を、例示として参考までに付記した。以下も同様である。カッコ内のスラッシュ「／」は、「又は」を意味する。
【０００７】
これによれば、両面原稿を以前に印刷した時の印刷設定とその画像に基づいて裏画像相当の画像が復元されて、今回読取る両面原稿の読み取り面の裏面像の除去に用いられるので、裏面の画像読み取りをしなくても、裏写り消去を行うことができる。原稿の用紙の透光性が高いときには、裏面の画像読み取りをしても、表画像と裏画像の区別がつきにくいので裏写り消去が難しいが、この発明（１）によれば、原稿の用紙の透光性が高いときに能率良く裏写り消去をすることができる。
【０００８】
【発明の実施の形態】
（２）別の画像処理装置の、プリントアウト画像の画像情報およびプリント設定情報を蓄積する情報蓄積手段から、画像情報およびプリント設定情報を取得するための通信手段（６０６）；を更に備え、前記読出す手段（３０１／５０９ａ，６３０）は、該別の画像処理装置の情報蓄積手段からも、原稿スキャナで画像を読取る原稿の、読み取り面の裏面の画像の画像情報およびプリント設定情報を読出す；上記（１）の画像処理装置。
【０００９】
これによれば原稿が、別の画像処理装置に蓄積画像があるものであっても、通信によって蓄積画像およびプリント設定情報を入手して、上記（１）のように裏写り消去をすることができ、上記（１）の裏写り消去を、より広範に行き渡るドキュメントにも適用できるようになる。
【００１０】
（３）プリントアウト画像の画像情報およびプリント設定情報を蓄積する情報蓄積手段（６３０）、ならびに、蓄積画像情報およびプリント設定情報を送信する通信手段（６１２／６０６）、を有する第１画像処理装置（６３０／５００／５０９ａ）；
原稿スキャナおよびそれが読み取った画像情報を送信する通信手段（６２１／６０６）を有する第２画像処理装置（３００，６２４／５０１／５０２）；
第２画像処理装置で画像を読取る原稿の、読み取り面の裏面の画像の画像情報およびプリント設定情報を第１画像処理装置から読出す手段（３０１，６３０／５０１／５０９ａ）、および、第１画像処理装置から読み出した画像情報とプリント設定情報に基づいて、第２画像処理装置で読み取る原稿の読み取り面の裏面の画像相当の画像情報を左右反転して生成して、これを用いて第２画像処理装置で読み取った原稿の画像情報の裏写り画像を消去する画像合成処理を行う手段（６１０／５０１／５０９ａ）、を有する第３画像処理装置（６３０／５０１／５０９ａ）；
を含む画像処理装置。
【００１１】
これによれば、第１，第２および第３画像処理装置が、一体装置として結合している態様およびネットワークで接続されて分散分布する態様のいずれにおいても、上記（１）のように裏写り消去をすることができる。特に、ネットワーク接続で多くの第１画像処理装置から通信によって多様に蓄積画像およびプリント設定情報を入手できるようになると、上記（１）の裏写り消去を実行できる機会が増える。
【００１２】
（４）原稿スキャナは、原稿トレイに積載された原稿を積載順に画像読み取り位置に送給する自動原稿供給機構を有し；画像合成処理を行う手段は、情報蓄積手段から読み出した順番で蓄積画像情報およびその印刷設定情報を、原稿スキャナが順番に読み取った画像情報に自動的に割り付ける；上記（１）乃至（３）のいずれかの画像処理装置。
【００１３】
複数の両面原稿を１枚の転写紙に集約コピーするような場合、集約の設定内容により、原稿の両面を読みとる必要がない場合がある。この場合、読みとる原稿面の反対側の画像を限定することは困難であり裏画像だけを除去する、裏写りの抑制効果が期待できない。また、裏画像を限定するために、本来必要としない裏面の原稿読みとりを行うと、生産性が低下する。しかし本実施態様（４）では、以前に両面原稿を印刷した時のプリント設定とその画像と現在の集約読み取りの設定から、原稿の反対面を読みとらずに自動で裏面画像を特定することで、能率良く複数原稿読み取りの裏写り消去を実施できる。
【００１４】
（５）原稿スキャナは、原稿トレイに積載された原稿を積載順に画像読み取り位置に送給する自動原稿供給機構を有し；画像合成処理を行う手段は、情報蓄積手段から読み出した蓄積画像情報およびその印刷設定情報を、使用者が指定した順番で、原稿スキャナが順番に読み取った画像情報に割り付ける；上記（１）乃至（３）のいずれかに記載の画像処理装置。
【００１５】
使用者が複数の原稿の画像を確認して、それに割り付ける蓄積画像を１つずつ割り付けるので、任意の原稿読みとり順に於いても、混乱なく裏写り消去を実現できる。
【００１６】
（６）画像合成処理を行う手段は、原稿スキャナが原稿を読み取った読み取り条件で原稿の読み取り面の裏面の画像相当の画像情報を処理してから、前記裏写り画像を消去する画像合成処理に用いる；上記（１）乃至（５）のいずれかに記載の画像処理装置。
【００１７】
今回の原稿読み取り条件が、該原稿を以前にプリントアウトしたときの画像を表すものと異なることになると、裏写り消去が乱れる可能性があるが、本実施態様（６）では、今回の原稿の読み取り設定から蓄積画像を、今回読み取られた画像と同じ読み取り条件の画像に調整するので、裏移り消去の信頼性を高くできる。
【００１８】
（７）上記（１）乃至（６）のいずれかに記載の画像処理装置、および、該画像処理装置が裏写り画像を消去した画像情報に基づいて画像を用紙上にプリントする作像手段（３０２〜３１１，６２３，６２６，６２７／５０１／５０３）；を備える画像形成装置。これによれば、蓄積画像およびプリント設定情報が情報蓄積手段にある両面原稿のコピー処理において上記（１）に記述した裏写り消去をして、裏写りがない綺麗な画像をコピー出力できる。
【００１９】
（８）原稿スキャナ（３００，６２４）；
該原稿スキャナが読み取った原稿の画像情報をプリント出力用の画像情報に変換する画像情報処理手段（６２４，６２３）；
プリント出力用の画像情報に基づいて用紙上に作像する作像手段（３０２〜３１１，６２３，６２６，６２７）；
プリント出力した画像の画像情報およびプリント設定情報を蓄積する情報蓄積手段（６３０）；
前記原稿スキャナで画像を読取る原稿の、読み取り面の裏面の画像の画像情報およびプリント設定情報を前記情報蓄積手段（６３０）又は他の画像形成装置の情報蓄積手段から読出す手段（３０１，６３０）；および、
情報蓄積手段から読み出した画像情報とプリント設定情報に基づいて、原稿の読み取り面の裏面の画像相当の画像情報を左右反転して生成して、これを用いて前記原稿スキャナ（３００，６２４）で読み取った前記原稿の画像情報の裏写り画像を消去する画像合成処理を行う手段（６１０）；
を備える画像形成装置。これによっても、蓄積画像およびプリント設定情報が情報蓄積手段にある両面原稿のコピー処理において上記（１）に記述した裏写り消去をして、裏写りがない綺麗な画像をコピー出力できる。
【００２０】
（９）原稿スキャナが読み取った原稿の画像情報に、画像情報処理手段（６２４）が読み取り補正を加えた画像情報を情報蓄積手段（６３０）に蓄積し；それをプリントアウトするときには、情報蓄積手段（６３０）から読出した画像情報に画像情報処理手段（６２３）が出力補正を加えてから作像手段（３０２〜３１１，６２３，６２６，６２７）に出力する；
上記（８）の画像形成装置。
【００２１】
これによれば、原稿スキャナの読み取り特性および作像手段の出力特性による画像表現の歪、を補正をした画像再現品質が高く、しかも裏写りが無いコピーを得ることができる。
【００２２】
（１０）原稿を読み取る装置と、
コピー，ファクシミリやプリンタ等の複数のアプリケーション機能と、
アプリケーション機能が印刷する画像及び前記原稿読みとり装置により読み取った原稿の画像を蓄積できる大容量の画像蓄積手段と、
蓄積した画像を印刷する時に、画像加工，転写紙のサイズと方向，転写紙に対する画像の印刷方向，画像の倍率，印刷濃度，両面印刷等の印刷設定が可能であり、印刷設定と印刷を行った前記蓄積された画像とを対応づけて記憶することができ、記憶された印刷設定を任意に選択できる機能と、
前記印刷を任意の時間に行える機能と、
両面印刷をした転写紙を原稿として読みとる時に、読み込む原稿の裏面にあたる画像と同じ画像を、使用者が前記印刷時に蓄積された画像から選択でき、選択した画像データを左右反転でき、左右反転した画像データを読みとった表面の原稿の画像データから減算する画像処理手段と、
を備え、裏写りを抑制することを特徴とする画像処理装置。
【００２３】
これによれば、両面原稿を印刷した時の設定とその画像を基準とし、裏画像を限定することで裏画像の除去を正確に行う効果がある。
【００２４】
（１１）両面印刷された複数の原稿を任意の組み合わせで一枚の転写紙に集約してコピーする機能を備え、原稿を読みとった時の設定と原稿を印刷した印刷設定から原稿と蓄積画像を自動で特定する機能を備えた、上記（１０）の画像処理装置。
【００２５】
複数の両面原稿を１枚の転写紙に集約コピーするような場合、集約の設定内容により、原稿の両面を読みとる必要がない場合がある。この場合、読みとる原稿面の反対側の画像を限定することは困難であり裏画像だけを除去する、裏写りの抑制効果が期待できない。また、裏画像を限定するために、本来必要としない裏面の原稿読みとりを行うと、生産性が低下する。しかし本実施態様（１１）では、以前に両面原稿を印刷した時のプリント設定とその画像と現在の集約読み取りの設定から、原稿の反対面を読みとらずに自動で裏面画像を限定することで生産性を低下させずに裏画像の除去を正確に行う効果がある。
【００２６】
（１２）両面印刷された複数の原稿を任意の組み合わせで一枚の転写紙に集約してコピーする機能を備え、原稿を読みとった時の設定と原稿を印刷した印刷設定から、原稿に対応する蓄積画像の候補を操作部に簡易表示し、選択できる機能を備え、原稿と蓄積画像の対応を使用者が手動で入力し特定する機能を備えた、上記（１０）の画像処理装置。
【００２７】
上記（１１）では、以前に両面原稿を印刷した時のプリント設定とその画像と現在の集約読みとりの設定から、原稿の反対面を読みとらずに自動で裏面画像を限定するためには、原稿を印刷した時の蓄積画像の読出し順と、各原稿を読みとる順番に関連が必要となる。しかし本実施態様（１２）では、使用者が蓄積画像を１つずつ選択指定するので、任意の原稿読みとり順に於いても生産性を低下させずに裏画像の除去を正確に行う効果がある。
【００２８】
（１３）両面印刷された原稿を読みとる時の画質調整や倍率調整等の読みとり設定から蓄積画像の画像調整や倍率調整等を行い前記画像裏写りを防止する、上記（１０）の画像処理装置。
【００２９】
原稿を読み取る時の設定に、画像調整や倍率調整等が設定されることで、以前に原稿を印刷した時の蓄積画像と、原稿を読みとった画像が異なるものになることがある。本実施態様（１３）では、原稿の読み取り設定から蓄積画像を、読み取られた画像と同じ読み取り条件の画像に調整するので、裏画像の除去を正確に行う効果がある。
【００３０】
本発明の他の目的および特徴は、図面を参照した以下の実施例の説明より明らかになろう。
【００３１】
【実施例】
−第１実施例−
図１に、本発明の第１実施例の複合機能フルカラーデジタル複写機の外観を示す。このフルカラー複写機は、大略で、自動原稿送り装置付きのカラー原稿スキャナ３００と、操作ボード３０１と、カラープリンタ（３０２〜３１１）と、フィニッシャ３１２とで構成されている。機内のシステムコントローラ６３０（図３）には、パソコンＰＣ，ＬＡＮ（Ｌｏｃａｌ　Ａｒｅａ　Ｎｅｔｗｏｒｋ），広域ネットワーク，ファクシミリコントロールユニットＦＣＵ等、図示しない外部機器とデータをやり取りする外部機器通信制御６０６（図３）がある。
【００３２】
図１に示すカラープリンタ（３０２〜３１１）は、レーザプリンタである。このレーザプリンタは、マゼンダ（Ｍ），シアン（Ｃ），イエロー（Ｙ）および黒（ブラック：Ｋ）の各色の画像を形成するための４組のトナー像形成ユニット３１０を、ｙ方向に配置したものである。即ち、４連ドラム方式のフルカラー画像形成装置である。これらマゼンダ（Ｍ），シアン（Ｃ），イエロー（Ｙ）および黒（Ｋ）のトナー像形成ユニット３１０は、それぞれ、感光体ドラムを有する感光体ユニットと、現像ユニットとを備えている。また、各トナー像形成部の配置は、各感光体ユニット内の感光体ドラムの回転軸が水平ｘ軸（主走査方向）に平行になるように、且つ、転写紙移動方向ｙ（副走査方向）に所定ピッチの配列となるように、設定されている。
【００３３】
また、レーザプリンタは、上記トナ−像形成ユニットのほか、レーザ走査による光書込ユニット３１１，各感光体ドラムに形成した各トナー像が同一位置に重ね転写される転写ベルト，給紙カセット３０２〜３０５，手差し給紙台３０６，用紙搬送ローラ，転写ベルトに転写したトナー像を転写紙に転写する転写ユニット３０９，定着器３０７，両面ドライブ（面反転）ユニット３０８等を備えている。また、レーザプリンタは、図示していないトナ−補給容器，廃トナーボトル、なども備えている。
【００３４】
光書込ユニット３１１は、レーザ光源，ポリゴンミラー，ｆ−θレンズ，反射ミラー等を備え、画像データに基づいて各感光体ドラムの表面にレーザ光を、ｘ方向に振り走査しながら照射し、該レーザ光を画像データに基づいて変調する。図１上の点線矢印は、転写紙の搬送経路を示している。給紙カセット３０２〜３０５，手差しトレイ３０６のいずれかから搬送経路に給送された転写紙は、図示しない搬送ガイドで案内されながら搬送ローラで搬送され、レジストローラ対に送られる。そしてレジストローラ対により所定のタイミングで転写ベルトに送出された転写紙には、転写ユニット３０９の位置で、転写ベルトが担持するトナー像が転写される。転写があった転写紙は、定着ユニット３０７を通過する時トナー像が転写紙に定着する。トナー像が定着した転写紙は、フィニッシャ３１２に排出される。
【００３５】
図２に、カラースキャナ３００の縦断面概要を示す。このスキャ３００の原稿台ガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向（矢印ｙの逆方向）に反射されて、レンズ２３６により集束され、ＣＣＤ３７に照射され、電気信号に変換される。第１および第２キャリッジは、走行体モーター２３８を駆動源として、副走査方向に往（原稿走査），復（リタ−ン）駆動される。
【００３６】
復駆動により戻るホームポジションには、照明ランプ２３２で照らされる位置に基準白板２３０があり、ＣＣＤ２３７の白レベル調整やシェーディング補正データの設定処理を行うときに、基準白板２３０の反射光をＣＣＤ２３７で読み取る。スキャナ１０は、センサとしては、原稿台上の原稿サイズを検知する原稿検知センサ、キャリッジのホームポジション（基準位置）を検出するホームポジションセンサ、圧板（ＡＤＦ）の開閉状態を検出する圧板開閉センサを持つ。スキャナ３００のＡＤＦ（自動原稿供給装置）は、コンタクトガラス２３１に対して開閉自在であり、ＡＤＦを上に跳ね上げて開き、オペレータは手差しで原稿をコンタクトガラス２３１に乗せ、そしてＡＤＦを押し下げて閉じることができる。
【００３７】
ＡＤＦを使用するとき、その原稿トレイ２４５に積載された原稿は、ピックアップローラおよびレジストローラ対で搬送ベルト２４３上に送り込まれ、このとき密着させる手段である付着チャージャ２４６が付勢されて搬送ベルト２４３を帯電させる。この帯電による静電気力により、送り込まれた原稿が帯電ベルト２４３に吸引されて密着する。搬送ベルト２４３は、駆動ローラ２４１，従動ローラ一２４２およびテンションローラ２４４に張架されており、駆動ローラ２４１の反時計方向の回転により、搬送ベルト２４３と共にそれに密着した原稿が、コンタクトガラス２３１上に送り込まれる。なお、駆動ローラ２４１は、搬送モータ（図示せず）により駆動される。
【００３８】
ＡＤＦによる原稿搬送、かつ、裏面画像も読取る両面読み取りモードが指定されているときには、表面の画像読み取りを終えてコンタクトガラス２３１上から排紙トレイ２４８に原稿を排紙するときに、白色ローラ２４９に対向する密着イメージセンサ２５０が裏面画像を読み取る。
【００３９】
図３に、図１に示す複写機の、画像読み取り，画像処理，画像蓄積および画像形成、のシステム構成を示す。システムコントローラ６３０は、スキャナアプリケーション，ファクシミリアプリケーション，プリンタアプリケーションおよびコピーアプリケーション等の複数アプリケーションの機能を有し、システム全体の制御を行う。操作パネル制御装置６３１は、操作ボード３０１の入力を解読して本システムの設定とその状態内容を表示する装置である。画像入出力制御装置６３２は、スキャナ３００による原稿画像の読み取りおよびプリンタ（３０２〜３１１）による転写紙への画像書き込み（プリント）を行う他に、読み取った画像データの読取補正，出力用の補正および出力用の画像データへの変換も行う。画像データバス／制御コマンドバス６２０は、画像データと制御コマンドが時分割で転送されるバスである。
【００４０】
ＣＰＵ６０５は、システムコントローラ６３０の制御を行う。ＲＯＭ６０４にはシステムコントローラ６３０の制御プログラムが書かれている。ＲＡＭ６０３は、ＣＰＵ６０５が使用する作業用メモリである。ＮＶＲＡＭ６０２は、不揮発性メモリであり、副走査倍率調整値及び主走査倍率調整値など、システム全体の情報の保管を行う。
【００４１】
外部機器通信制御６０６は、画像読み取り，画像蓄積或いは画像印刷を要求する外部機器（たとえば同種の複写機，画像スキャナ，パソコン，プリンタ，ファクシミリ）との通信制御を行うものであり、ネットワークに接続するための物理Ｉ／Ｆの制御を行う。ネットワーク接続（たとえば図１３）された外部機器通信制御６０６がネットワークからデータを受信すると、電気的な信号より通信データの内容だけシステムＩ／Ｆ６０７に送る。システムＩ／Ｆ６０７では、規定されたプロトコルに従い受信データを論理変換しＣＰＵ６０５に送る。ＣＰＵ６０５では、論理変換された受信データを判断し処理を行う。また、ＣＰＵ６０５が、ネットワークにデータを送信する時は、受信とは逆の手順で、システムＩ／Ｆ６０７、外部機器通信制御６０６に送信データが伝達され、電気信号としてネットワーク上に送出される。
【００４２】
システムＩ／Ｆ６０７は、ＣＰＵ６０５の命令によりシステム内で処理される、原稿読み取りデータ，ファクシミリ受信データ，パソコンのドキュメントデータ（印刷命令）の転送制御、ならびに、パソコンのドキュメントデータの印刷用のイメージデータ（画像データ）への変換と転送を行う。ワークメモリ６００は、プリンタで使用する画像展開（ドキュメントデータからイメージデータへの変換）の作業用メモリである。フレームメモリ６０１は、電源が供給され続けている状態で即座に印刷される読み取り画像や書き込み画像のイメージデータを、一時蓄える作業用メモリである。
【００４３】
ＨＤＤＣ６５０は、電源の供給が停止しても、読み取り画像や書き込み画像のイメージデータ、すなわち画像データ、ならびにドキュメントデータを蓄えられるハードディスクとそのコントローラである。イメージデータおよびドキュメントデータは、符号化されたりドットイメージであったりする。ＦＩＦＯバッファメモリ６０９は、入力画像をフレームメモリ６０１へ書込む時のデータ転送速度変換を行う。すなわち、転送元と転送先のデータ送出／受入れタイミングの差，転送単位のデータ量の相違，転送速度差等を吸収するデータの一時蓄積を行い、転送元の転送タイミングおよび速度でデータを受け入れ、転送先の転送タイミングおよび速度でデータを送り出す。同様にＦＩＦＯバッファメモリ６０８は、フレームメモリ６０１の画像データを出力画像としてデータ転送する時の速度変換を行う。
【００４４】
メモリコントローラ６１０は、ＣＰＵ６０５の制御なしにフレームメモリ６０１及び、ＨＤＤＣ６５０とバス間の画像の入出力をコントロールする。また、操作ボード３０１の入力装置６１４が受けたコマンドに応じて、フレームメモリ６０１を利用して、ＨＤＤＣに蓄積している画像の編集，加工あるいはスキャナで読み込んだ画像の裏写り消去のための画像合成を行う。メモリコントローラ６１０は、ＨＤＤＣ６５０のＨＤＤからワークメモリ６００又はフレームメモリ６０１への画像情報の読出しと、おもに画像データアドレス変更操作による、転写紙に対する画像の印刷方向の変更，画像の回転，画像の組み合わせ編集と、画像データに対する設定値の加減乗除による濃度変換，画像データ同士の論理積演算や論理和演算による画像トリミングおよびの合成と、このように処理した画像情報のＨＤＤへの書込みとによって、各種の画像加工および編集を行うことができる。裏写り消去のための画像合成では、メモリコントローラ６１０は、表面の画像を今回読み込んだ原稿の、裏面の画像に相当する蓄積画像を、そのプリント設定情報に基づいてプリントアウト画像相当の画像情報に変換し、そして画像データのアドレス変換操作により左右反転をして、裏写り濃度変換係数（使用者が設定した濃度調整係数）を乗算して画像データの濃度値を下げてから、読み込んだ原稿の画像情報から減算する。画像の読み取り変倍は画像読み取りユニット６２４が行い、印刷変倍は画像書込みユニット６２３が行う。
【００４５】
ＣＰＵ６１７は、操作パネル制御装置６３１の入出力制御を行う。すなわち、操作ボード３０１の入力読込みおよび表示出力を制御する。ＲＯＭ６１６には、操作パネル制御装置６１１の制御プログラムが書かれている。ＲＡＭ６１８は、ＣＰＵ６１７で使用する作業用メモリである。６１４は、操作ボード３０１の入力キーおよび入力パネルを操作して使用者がシステム設定の入力を行う入力装置である。表示装置６１５は、操作ボード３０１にあって、使用者にシステムの設定内容，状態を表示するものであり、表示灯および表示パネルを含む。主走査及び副走査の基本倍率調整値は、システム調整工程でサンプル画像による倍率測定が行われ、操作パネル制御装置６１１により設定が行われる。また、主走査，副走査の四辺縁なし倍率調整値は、使用者またはメンテナンス担当者により印刷画像から、画像欠け及び余白が発生していないか確認され、それらを抑制する倍率調整値が操作パネル制御装置６１１により設定される。
【００４６】
ＣＰＵ６２５は、画像入出力制御装置６３２の制御を行う。ＲＯＭ６２９には、画像入出力装置６３２の制御プログラムが書かれている。ＲＡＭ６２８はＣＰＵ６２５で使用する作業用メモリである。画像書き込みユニット６２３は、プリントアウトする画像データの受け入れと、プリンタの画像出力特性による画像劣化を補正する出力補正と、画像データに基づいて図１に示すプリンタ（３０２〜３１１）の光書込ユニット３１１による静電潜像形成を制御する制御ユニットである。
【００４７】
画像読み取りユニット６２４は、図２に示すスキャナ３００の、ランプ光を原稿で反射しＣＣＤ２３７で読み取り、裏面画像の同時読み取りも指定されているときには、密着イメージセンサ２５０で裏面画像を読取る、周知の光学式スキャナの制御と、読み取った画像データの、シェーディング補正，地肌除去，スキャナガンマ変換，ＭＴＦフィルタなどの読み取り補正処理および読み取り時変倍を行う。スキャナ３００で読み取った画像データは、画像読み取りユニット６２４で読み取り補正（シェーディング補正，地肌除去，スキャナガンマ変換およびＭＴＦフィルタ）、および指定があったときには読み取り変倍、をしてから、フレームメモリ６０１に書き込まれ、そしてメモリコントローラ６１０によってＨＤＤＣ６５０のＨＤＤに書き込まれる。コピーモードのときには、ＨＤＤへの書込が終了するとＨＤＤから読出して画像書込みユニット６２３で出力補正（色補正，出力変倍，プリンタガンマ変換および階調処理）をしてから、露光ユニット３１１の露光レーザの変調に用いる。
【００４８】
電子写真プロセスユニット６２６は、プリンタ（３０２〜３１１）の感光体上にレーザー光で書きこまれた静電潜像をトナーで実像化し用紙に転写し、そして定着する周知の電子写真方式の作像プロセスを制御するユニットである。転写紙搬送制御６２７は、電子写真プロセスユニット６２６で画像が転写される用紙の搬送制御を行う。
【００４９】
図４には、コピーモード或いはプリンタモードで、転写紙に画像を形成するプリントアウトのときに、システムコントローラ６３０が実行する画像の蓄積処理を示す。システムコントローラ６３０は、１画像（原稿の１面の画像或いは外部機器から送り込まれたドキュメントの画像）の印刷を開始するとき（ステップ７００）、その印刷設定（印刷条件）をＮＶＲＡＭ６０２に記憶する（ステップ７０１）。
【００５０】
なお、以下においては、カッコ内には、ステップという語を省略してステップＮｏ．数字のみを記す。
【００５１】
フレームメモリ６０１上の、プリントアウトする画像データは、印刷前にＨＤＤＣ６５０に、その画像の識別情報に、ＮＶＲＡＭ６０２に記憶したプリント設定情報を対応づける識別情報を付加して、ＨＤＤに蓄積する（７０２）。すなわち書込む。フレームメモリ６０１上のプリントアウトする画像データは、画像データバス／制御コマンドバス６２０を経由して、画像入出力制御装置６３２に送り、画像書き込みユニット６２３により感光体上の静電潜像に変換し、電子写真プロッタユニット６２６による作像プロセス制御によって、現像してトナー像とし、転写紙に転写する。転写は転写ユニット３０９で行われ、定着器３０７で転写したトナー像を転写紙に定着した後、片面印刷が指定されている場合にはフィニッシャ３１２に排出される（７０３）。
【００５２】
両面印刷が指定されている場合は、定着器３０７を通った転写紙は、両面搬送ユニット３０８に送り込まれ、そして送り込みの後端から、レジストローラに送り出され、再び印刷処理が開始される。両面印刷された転写紙はフィニッシャ３１２に排紙される（７０３）。そして印刷終了（７０４）となる。
【００５３】
プリントアウトする画像を、プリント設定情報とともにＨＤＤに蓄積するので、プリントアウトした転写紙の画像（蓄積画像）およびプリント設定情報をＨＤＤおよびＮＶＲＡＭ６０２から読み出して、転写紙上の画像を表す画像データを復元できる。
【００５４】
Ａ．裏写り消去処理１
図５には、以前に上述の両面印刷により表，裏面に画像が形成された転写紙である原稿、の画像を読み取るときの、システムコントローラ６３０が実行可能な、裏写りを消去するデータ処理を示す。該原稿の画像読み取りを開始する（８００）が、その前又は後に、使用者は裏写り消去を操作ボード３０１又は外部機器（例えばパソコン）から指定し、該原稿の現在の読み取り面の裏面の蓄積画像を選択する（８０１）。この選択のために使用者がまず、蓄積画像閲覧を、操作ボード３０１又は外部機器に指定すると、システムコントローラ６３０が、操作ボード３０１又は外部機器に蓄積画像リストを、使用者が判読できる形態で表示する。このリストから、使用者が該当の蓄積画像を指定すると、入力された指定信号をＣＰＵ６１７が処理しコマンドに変換して、システムコントローラＩ／Ｆ６０７を経てＣＰＵ６０５に送る。ＣＰＵ６０５は、これに応答して、コマンドに付加されているパラメータより蓄積画像を選択しＨＤＤＣ６５０よりＨＤＤにある蓄積画像を読出してＲＡＭ６０３に書込む。更に、該蓄積画像に付加された識別情報に基づいて、ＮＶＲＡＭ６０２にある該蓄積画像のプリント設定情報を読み出して、ＲＡＭ６０３に書込む（８０１）。
【００５５】
図９を参照する。この場合の読み取り対象の原稿は、表面１００と裏面１０１に画像（ＡＢＣ，ＸＹＺ）がある両面原稿である。原稿読み取りユニット６２４で読み取り補正（シェーディング補正，地肌除去，スキャナガンマ変換およびＭＴＦフィルタ）、ならびに指示があった場合には読み取り変倍、をしてから入力された画像は、ＦＩＦＯバッファメモリ６０９を経てフレームメモリ６０１に書き込む（８０２）。メモリコントローラ６１０によって、フレームメモリ６０１上にある読取った原稿画像１０２（図９）は、ワークメモリ６００に送り、続いて、ＨＤＤＣ６５０から読み出してＲＡＭ６０３に書き込んでいる蓄積画像１０３の左右を反転しワークメモリ６００に書き込み（８０３）、フレームメモリ６０１の原稿画像１０２からワークメモリ６００の左右反転画像の減算処理を行い、減算処理による合成画像１０４を、ワークメモリ６００上に作成する（８０４）。
【００５６】
ワークメモリ６００上の合成画像１０４は、フレームメモリ６０１に移し、メモリコントローラ６１０によりＨＤＤＣ６５０に送ってＨＤＤに蓄積する（８０５）。同時に印刷要求があれば、ＦＩＦＯバッファメモリ６０８を経由して画像書込みユニット６２３に出力し、そこで出力補正（色補正，出力変倍，プリンタガンマ変換および階調処理）をして露光レーザ光の変調に用いる。すなわち画像書き込みユニット６２３により転写紙に印刷し（８０６）、原稿読み取りを終了する（８０７）。画像読み取りが外部機器から指示されていたものであるときには、合成画像１０４を外部機器（ＰＣ，プリンタ，ファクシミリ）に転送する。
【００５７】
Ｂ．裏写り消去処理２
図６に、図４に示す画像蓄積を行っている画像がある複数の両面画像原稿を、任意の組み合わせで一枚の転写紙に集約してコピーするときの、システムコントローラ６３０が実行する、自動割当モードの、裏写りを消去するデータ処理を示す。この集約コピーの一例は、図４に示す画像蓄積を行っている画像がある複数の両面原稿２００，２０１，２０２および２０３を原稿スキャナ３００で読み取り、図１０に示すように、一枚の転写紙上に集約してコピーするものである。
【００５８】
原稿スキャナ３００に原稿２００，２０１，２０２および２０３を積載する順番が、読み取り順番となる。画質調整や倍率調整等の読み取り条件（濃淡，コントラスト，切り取り領域，読み取り倍率，画像姿勢など）および集約の内容の設定は、操作ボード３０１又は外部機器で、使用者が行う。
【００５９】
読み取りを開始する前に、使用者は操作ボード３０１又は外部機器から、裏写り消去を指定して、対応する蓄積画像を選択する（９０２）。使用者が蓄積画像閲覧を操作ボード３０１又は外部機器で選択すると、蓄積画像に付加された識別情報リストが利用者が判読できる形態で操作ボード３０１又は外部機器に表示される。使用者は識別情報リストから、読み取る原稿の、読み取り対象面の裏面の蓄積画像を、読み取り原稿の読み取り順番と同じ順番で選択する。操作パネル制御装置６３１の、入力装置６１４から入力された信号をＣＰＵ６１７が処理しコマンドに変換して、システムコントローラＩ／Ｆ６０７を経てＣＰＵ６０５に送る。ＣＰＵ６０５では、コマンドが蓄積画像の選択であることを解釈しコマンドに付加されているパラメータより蓄積画像を、使用者の選択順番にしたがって選択しＨＤＤＣ６５０よりＨＤＤにある蓄積画像に付加された識別情報を読み出して、選択順番にしたがってＲＡＭ６０３に書込む。同時にＮＶＲＡＭ６０２から蓄積画像を印刷した時のプリント設定情報を選択順番にしたがって読み出して、選択順番でＲＡＭ６０３に書込む（９０２）。
【００６０】
原稿２００，２０１，２０２，２０３の読み取り順は、原稿スキャナ３００のＡＤＦに重ねた順番である。原稿スキャナ３００で読み取った画像データは、原稿読み取りユニット６２４で読み取り補正（シェーディング補正，地肌除去，スキャナガンマ変換およびＭＴＦフィルタ）、および指定がある場合は読み取り変倍をしてから、ＦＩＦＯバッファ６０９を経てフレームメモリ６０１に書き込まれる（９０３）。次に、メモリコントローラ６１０は、自動割当モードが指定されていると（使用者が手動割当てモードを指定していないと）、ＲＡＭ６０３にある、読み取る原稿の裏面の蓄積画像とそのプリント設定情報を、原稿読み取りの順番と同じ順番で特定する（９０４）。フレームメモリ上にある今回読み取った画像１０２をワークメモリ６００に送り、続いて特定した蓄積画像をＨＤＤから読出してプリント設定情報に従って蓄積画像を印刷した画像を再生し、左右を反転しワークメモリ６００に書き込み（９０５）、原稿画像と減算処理を行って合成し、合成画像をワークメモリ６００上に作成する（９０５）。そして合成画像をワークメモリ６００上で、一枚の転写紙上の集約印刷位置に集約合成する（９０７）。
【００６１】
ここまでの集約合成回数から、設定枚数の原稿の読み取り集約を終えたか判定する（９０８）。まだ、設定枚数の読み取り集約を終えていない場合は、さらに原稿読み取りを行う（９０３）。設定枚数分の読み取り集約を終えたら、ワークメモリ６００上の集約画像をフレームメモリ６０１に移し、メモリコントローラ６１０によりＨＤＤＣ６５０に送り、ＨＤＤに蓄積する。集約読み取りが外部機器から指示されたものである場合には、ＨＤＤに蓄積した集約画像を外部機器に転送する。集約コピーの指示に応じて集約読み取りをした場合には、ＨＤＤに蓄積するとともに、フレームメモリ６０１の集約画像（の画像データ）を画像書込みユニット６２３に送り、該ユニット６２３で出力補正（色補正，出力変倍，プリンタガンマ変換および階調処理）をして露光ユニット３１１の露光レーザの輝度変調を行って静電潜像を形成し、静電潜像を現像して転写紙に印刷し（９１０）、原稿読み取りを終了する（９１１）。印刷指示があると、指定があった画像をＨＤＤから読出して画像書込みユニット６２３に送り、転写紙に印刷する。
【００６２】
Ｃ．裏写り消去処理３
図７に、図４に示す画像蓄積を行っている画像がある複数の両面画像原稿を、任意の組み合わせで一枚の転写紙に集約してコピーするときの、システムコントローラ６３０が実行する、手動割当モードの、裏写りを消去するデータ処理形態を示す。この形態の一例は、図４に示す画像蓄積を行っている画像がある複数の両面原稿２０５，２０６および２０８を原稿スキャナ３００で読み取り、図１１に示すように、一枚の転写紙上に集約してコピーするものである。原稿２０７は読み取らない。原稿スキャナ３００に原稿を積載する順番は、使用者が任意に決めることができる。読み取りの設定は、操作ボード３０１又は外部機器で使用者が設定する。
【００６３】
読み取りを開始する前に、使用者は操作ボード３０１又は外部機器から対応する蓄積画像を選択する（１００３）。使用者が裏写り消去および手動割当てモードを指定して蓄積画像閲覧を操作ボード３０１又は外部機器で選択すると、システムコントローラ６３０が、ＨＤＤにある蓄積画像の識別情報のリストを、利用者が視認できる形態で操作ボード３０１又は外部機器に表示する。使用者はこのリストから、読み取る原稿の読み取り面の裏の画像に相当する蓄積画像を選択する。操作パネル制御装置６３１の入力装置６１４から入力された、又は外部機器から入力された、使用者の指示をＣＰＵ６１７が処理しコマンドに変換して、システムコントローラＩ／Ｆ６０７を経てＣＰＵ６０５に送る。ＣＰＵ６０５は、コマンドが蓄積画像の選択であることを解釈しコマンドに付加されているパラメータより蓄積画像を選択し、ＨＤＤＣ６５０のＨＤＤにある蓄積画像に付加された識別情報を読み出してＲＡＭ６０３に書込む。同時にＮＶＲＡＭ６０２から、該蓄積画像のプリント設定情報を読み出してＲＡＭ６０３に書き込む。
【００６４】
原稿２０５，２０６，２０８の読み取り順は、原稿スキャナ３００に原稿を積載する順番で決まる。原稿スキャナ３００で読み取った画像データは、原稿読み取りユニット６２４で読み取り補正、および指定があるときには読み取り変倍、をしてから、システムコントローラ６３０のメモリコントローラ６１０が、ＦＩＦＯバッファ６０９を経てフレームメモリ６０１に書き込む（１００４）。
【００６５】
次に、システムコントローラ６３０は、ＲＡＭ６０３にある、蓄積画像とそのプリント設定情報の群の中から１つを特定する選択画面を、操作ボード３０１又は外部機器に表示し、使用者が選択画面の中から、今読み取った原稿の裏画像に対応する蓄積画像を、操作ボード３０１又は外部機器を操作して特定する（１００５）。
【００６６】
メモリコントローラ６１０は、フレームメモリ６０１上にある読み取られた原稿画像１０２をワークメモリ６００に送り、続いて使用者により特定された蓄積画像をＨＤＤＣから読み出して、その画像の左右を反転してワークメモリ６００に書き込み（１００６）、原稿画像との減算処理による画像合成を行い、合成画像をワークメモリ６００上に作成する（１００７）。そして合成画像をワークメモリ６００上で、一枚の転写紙上の集約位置に印刷する形に集約合成する（１００７）。
【００６７】
メモリコントローラ６１０は、読み取り設定と読み取った原稿画像数から、集約枚数の原稿を読んだか判断する（１００９）。まだ、読み取り設定の集約枚数分の原稿を読んでいない場合は、再び原稿の読み取りを行う（１００４）。メモリコントローラ６１０は、集約枚数分の原稿を読み終え、上述の集約処理を終えたら、ワークメモリ６００上の集約画像をフレームメモリ６０１に移し、ＨＤＤＣ６５０に送ってＨＤＤに蓄積する（１０１０）。同時に印刷要求があれば、フレームメモリ６０１の集約画像を画像書込みユニット６２３に送り、該ユニット６２３で出力補正をしてから、転写紙に印刷し（１０１１）、原稿読み取りを終了する（１０１２）。
【００６８】
Ｄ．裏写り消去処理４
図８に、図４に示す画像蓄積を行っている画像がある両面原稿を読みとる時の読み取り条件（濃淡，コントラスト，切り取り領域，読み取り倍率，画像姿勢など）に従って、システムコントローラ６３０が裏写り消去を行う１形態を示す。両面印刷された転写紙を原稿として、原稿読みとり装置３００で読みとりを開始する（１１０１）。読み取りを開始する前に、使用者は操作ボード３０１又は外部機器から、読み取り対象の原稿の読み取り面の裏画像の、ＨＤＤにある蓄積画像を選択する（１１０２）。使用者が蓄積画像閲覧を操作ボード３０１又は外部機器で選択すると、システムコントローラ６３０は、蓄積画像に付加された識別情報を、利用者が判読できる内容で操作ボード３０１又は外部機器に表示する。使用者は表示から、読み取る原稿の裏画像の蓄積画像を選択する。操作パネル制御装置６３１の入力装置６１４（操作ボード３０１）又は外部機器から入力された選択指定を、ＣＰＵ６１７が処理しコマンドに変換して、システムコントローラＩ／Ｆ６０７を経てＣＰＵ６０５に送る。ＣＰＵ６０５は、コマンドが蓄積画像の選択であることを解釈しコマンドに付加されているパラメータより蓄積画像を選択しＨＤＤＣ６５０のＨＤＤにある蓄積画像に付加された識別情報を読み出してＲＡＭ６０３に書込む。同時にＮＶＲＡＭ６０２から該蓄積画像を印刷した時のプリント設定情報を読み出してＲＡＭ６０３に書き込む。
【００６９】
原稿は、例えば図１２に示す表面４００と裏面４０１に画像（ＡＢＣ，Ｘ，Ｙ）がある両面原稿である。原稿スキャナ３００で読み取った画像データは、原稿読み取りユニット６２４で読み取り補正をしてから、システムコントローラ６３０のメモリコントローラ６１０が、ＦＩＦＯバッファ６０９を経てフレームメモリ６０１に書き込む（１１０３）。
【００７０】
フレームメモリ６０１に書き込んだ原稿画像４０２（図１２）は、ワークメモリ６００に送り、続いてＨＤＤＣ６５０のＨＤＤから読み出した蓄積画像４０３に、ＣＰＵ６０５およびメモリコントローラ６１０が、ＲＡＭ６０３に書き込んだプリント設定情報に従った画像処理を加え、そして今回の読み取り条件（濃淡，コントラスト，切り取り領域，読み取り倍率，画像姿勢など）と同じ画像処理を加える（１１０４）。これによって蓄積画像は例えば図１２に示す画像４０５となる。メモリコントローラ６１０は、さらに、画像の左右を反転してワークメモリ６００に書き込み（１１０５）、原稿画像４０２と減算処理による画像合成を行って、合成画像４０４をワークメモリ６００上に作成する（１１０６）。ワークメモリ６００上の合成画像４０４はフレームメモリ６０１に移し、ＨＤＤＣ６５０のＨＤＤに蓄積する。同時に印刷要求があれば、フレームメモリ６０１の合成画像を画像書込みユニット６２３に送り、該ユニット６２３で出力補正をしてから、転写紙に印刷し（１１０８）、原稿読み取りを終了する（１１０９）。
【００７１】
−第２実施例−
図１３に、図１〜３に示す構成と同様な構成で上述の機能Ａ〜Ｄを持ち、さらに下記の機能Ｅ〜ＨおよびＬＡＮ通信機能を持つ複合機能複写機の複数５００，５０１，５０６，５０７と、ＬＡＮ通信機能およびファクシミリ送受信機能がある原稿スキャナ５０２，５０４と、ＬＡＮ通信機能があるプリンタ５０３，５０５と、広域ネットワーク通信機能およびＬＡＮ通信機能があるパソコン５０８，５０９とを接続したＬＡＮ（ローカルエリアネットワーク）を示す。
【００７２】
複合機能複写機５００，５０１，５０６および５０７は、それぞれが図１〜３に示す構成と同様な構成で上述の機能Ａ〜Ｄを持ち、さらに下記の機能Ｅ〜Ｈを持つ。
【００７３】
原稿スキャナ５０２，５０４は、図２に示すハードウエアと、図３に示す画像入出力制御装置６３２の中の、原稿画像読み取りおよび処理に関連するハードウエアおよび機能ならびにシステムコントローラ６３０の中の、画像データの一時記憶および外部通信に関連するハードウエアおよび機能を持つ。
【００７４】
プリンタ５０３，５０５は、図１に示すハードウエア３０２〜３１１と、図３に示す画像入出力制御装置６３２の中の、画像データの出力用の処理および転写紙上の作像に関連するハードウエアおよび機能ならびにシステムコントローラ６３０の中の外部通信に関連するハードウエアおよび機能を持つ。
【００７５】
パソコン５０９ａ，５０９ｂは、操作ボード３０１，操作パネル制御装置６３１およびシステムコントローラ６３０の構成および機能に相当するハードウエアおよび機能（アプリケーションソフトウエアによる）ならびにファクシミリ送，受信機能を持つ。
【００７６】
大略で言うと、原稿スキャナ５０２，５０４の一台と、パソコン５０９ａ，５０９ｂの一台と、プリンタ５０３，５０５の一台の通信ラインによる接続が、複合機能複写機５００，５０１，５０６，５０７の一台に、機能上対応しこの組み合わせにおいて、パソコンのシステムコントローラ機能が、複写機のシステムコントローラ６３０と同様に、裏写り消去の処理を行う。
【００７７】
この第２実施例においては、複合機能複写機５００，５０１，５０６，５０７或いはプリンタ５０３，５０５でプリントアウトをするときに、それを実行する複写機（例えば５００）のシステムコントローラ６３０、或いは、プリンタ（例えば５０３）にプリントコマンドを与えたパソコン（例えば５０９ａ）のプリントアウトアプリケーションソフト（プリンタドライバ）が、図４に示す印刷画像およびそのプリント設定情報の蓄積を行う。その内容は、すでに説明したとおりであるので、ここでの再度の説明は省略する。
【００７８】
Ｅ．裏写り消去処理５
図１４には、以前に両面印刷により表，裏面に画像が形成された転写紙である原稿であって、図１３に示すネットワークの複写機５００，５０１，５０６，５０７およびパソコン５０９ａ，５０９ｂのいずれかに、図４に示した画像およびプリント設定情報の蓄積処理があった原稿、の画像を複写機５００，５０１，５０６，５０７およびスキャナ５０２，５０４のいずれかで読み取るときの、読み取り制御主体（複写機又はパソコン）のシステムコントローラ６３０が実行可能な、裏写りを消去するデータ処理を示す。
【００７９】
読み取りを開始する前に、使用者は複写機の操作ボード又はパソコンを用いて、読み取り対象の原稿を過去に印刷したときの蓄積画像およびプリント設定情報を保存している画像処理装置（複写機５００，５０１，５０６，５０７およびパソコン５０９ａ，５０９ｂのいずれか）から、該蓄積画像およびプリント設定情報を取得する。この取得においてまず使用者は、使用する画像処理装置（複写機又はパソコン；以下自己装置）において、蓄積画像閲覧を操作ボード又はキーボードで選択する。これに応答して自己装置のシステムコントローラが、複写機５００，５０１，５０６，５０７およびパソコン５０９ａ，５０９ｂのそれぞれが保持する蓄積情報の識別情報を収集して各複写機，パソコンごとのリストにして、利用者が判読できる内容で自己装置に表示する。この表示には、自己装置が保持するもののリストも含まれる。使用者は識別情報リストから、読み取る原稿の蓄積画像を選択する（８００〜８０３）。自己装置の操作パネル制御装置６３１の入力装置６１４から入力された選択信号をＣＰＵ６１７が処理しコマンドに変換して、システムコントローラＩ／Ｆ６０７を経てＣＰＵ６０５に送る。
【００８０】
ＣＰＵ６０５は、コマンドが蓄積画像の選択であることを解釈しコマンドに付加されているパラメータより、蓄積画像を保持する画像処理装置および該蓄積画像を特定して、該画像処理装置（のＨＤＤおよびＮＶＲＡＭ）から該蓄積画像およびそのプリント設定情報を読み出して、自己装置のＲＡＭ６０３に書込む（８０３）。その後の処理は、上述の「Ａ．裏写り消去処理１」（図５のステップ８０４〜８０７）と同様である。
【００８１】
Ｆ．裏写り消去処理６
図１５に、以前の両面印刷により表，裏面に画像が形成された転写紙である原稿であって、図１３に示すネットワークの複写機５００，５０１，５０６，５０７およびパソコン５０９ａ，５０９ｂのいずれかに、図４に示した画像およびプリント設定情報の蓄積処理があった複数の両面原稿を、任意の組み合わせで一枚の転写紙に集約してコピーするときの、システムコントローラ６３０が実行する、自動割当モードの、裏写りを消去するデータ処理を示す。この集約コピーの一例は、複写機５００，５０１，５０６，５０７およびパソコン５０９ａ，５０９ｂのいずれかに図４に示す画像蓄積を行っている画像がある複数の両面原稿２００，２０１，２０２および２０３を、複写機５００，５０１，５０６，５０７および原稿スキャナ５０２，５０４のいずれかで読み取り、図１０に示すように集約して、複写機５００，５０１，５０６，５０７およびプリンタ５０３，５０５のいずれかでプリントアウトするものである。
【００８２】
原稿スキャナに原稿２００，２０１，２０２および２０３を積載する順番が、読み取り順番となる。画質調整や倍率調整等の読み取り条件（濃淡，コントラスト，切り取り領域，読み取り倍率，画像姿勢など）および集約の内容の設定は、自己装置（複写機又はパソコン）で使用者が行う。
【００８３】
読み取りを開始する前に、使用者は自己装置（複写機又はパソコン）を用いて、読み取り対象の原稿を過去に印刷したときの蓄積画像およびプリント設定情報を保存している画像処理装置から、該蓄積画像およびプリント設定情報を取得する。この取得において使用者はまず自己装置を用いて、蓄積画像閲覧を選択する。これに応答して自己装置のシステムコントローラが、複写機５００，５０１，５０６，５０７およびパソコン５０９ａ，５０９ｂのそれぞれが保持する蓄積情報の識別情報のリストを、機器（複写機およびパソコン）ごとに収集して利用者が判読できる内容で自己装置に表示する。この表示には、自己装置が保持するものも含まれる。使用者は識別情報リストから、読み取る原稿の蓄積画像を選択する（９００，９０１）。自己装置の操作パネル制御装置６３１の入力装置６１４から入力された選択信号をＣＰＵ６１７が処理しコマンドに変換して、システムコントローラＩ／Ｆ６０７を経てＣＰＵ６０５に送る。
【００８４】
ＣＰＵ６０５は、コマンドが蓄積画像の選択であることを解釈しコマンドに付加されているパラメータより、蓄積画像を保持する画像処理装置および該蓄積画像を特定して、該画像処理装置（のＨＤＤおよびＮＶＲＡＭ）から該蓄積画像およびそのプリント設定情報を読み出して、自己装置のＲＡＭ６０３に書込む（９０２）。その後の処理は、上述の「Ｂ．裏写り消去処理２」（図６のステップ９０２〜９１１）と同様である。
【００８５】
Ｇ．裏写り消去処理７
図１６に、以前の両面印刷により表，裏面に画像が形成された転写紙である原稿であって、図１３に示すネットワークの複写機５００，５０１，５０６，５０７およびパソコン５０９ａ，５０９ｂのいずれかに、図４に示した画像およびプリント設定情報の蓄積処理があった複数の両面原稿を、任意の組み合わせで一枚の転写紙に集約してコピーするときの、システムコントローラ６３０が実行する、手動割当モードの、裏写りを消去するデータ処理を示す。この集約コピーの一例は、複写機５００，５０１，５０６，５０７およびパソコン５０９ａ，５０９ｂのいずれかに図４に示す画像蓄積を行っている画像がある複数の両面原稿２０５，２０６および２０８を、複写機５００，５０１，５０６，５０７および原稿スキャナ５０２，５０４のいずれかで読み取り、図１１に示すように集約して、複写機５００，５０１，５０６，５０７およびプリンタ５０３，５０５のいずれかでプリントアウトするものである。
【００８６】
原稿スキャナに原稿２０５，２０６および２０８を積載する順番が、読み取り順番となる。画質調整や倍率調整等の読み取り条件（濃淡，コントラスト，切り取り領域，読み取り倍率，画像姿勢など）および集約の内容の設定は、操作ボード又は外部機器で、使用者が行う。
【００８７】
読み取りを開始する前に、使用者は複写機の操作ボード又はパソコンから、読み取り対象の原稿を過去に印刷したときの蓄積画像およびプリント設定情報を保存している画像処理装置から該蓄積画像およびプリント設定情報を取得する。この取得において使用者はまず、自己装置において、蓄積画像閲覧を操作ボード又はキーボードで選択する。これに応答して自己装置のシステムコントローラが、複写機５００，５０１，５０６，５０７およびパソコン５０９ａ，５０９ｂのそれぞれが保持する蓄積情報の識別情報のリストを収集して利用者が判読できる内容で自己装置に表示する。この表示には、自己装置が保持するものも含まれる。使用者は識別情報リストから、読み取る原稿の蓄積画像を選択する（１０００，１００１）。自己装置の操作パネル制御装置６３１の入力装置６１４から入力された選択信号をＣＰＵ６１７が処理しコマンドに変換して、システムコントローラＩ／Ｆ６０７を経てＣＰＵ６０５に送る。
【００８８】
ＣＰＵ６０５は、コマンドが蓄積画像の選択であることを解釈しコマンドに付加されているパラメータより、蓄積画像を保持する画像処理装置および該蓄積画像を特定して、該画像処理装置（のＨＤＤおよびＮＶＲＡＭ）から該蓄積画像およびそのプリント設定情報を読み出して、自己装置のＲＡＭ６０３に書込む（１００２）。その後の処理は、上述の「Ｃ．裏写り消去処理３」（図７のステップ１００３〜１０１２）と同様である。
【００８９】
Ｈ．裏写り消去処理８
図１７に、以前に両面印刷により表，裏面に画像が形成された転写紙である原稿であって、図１３に示すネットワークの複写機５００，５０１，５０６，５０７およびパソコン５０９ａ，５０９ｂのいずれかに、図４に示した画像およびプリント設定情報の蓄積処理があった原稿、の画像を複写機５００，５０１，５０６，５０７およびスキャナ５０２，５０４のいずれかで読み取るときの、読み取り条件（濃淡，コントラスト，切り取り領域，読み取り倍率，画像姿勢など）に従って、システムコントローラ６３０が裏写り消去を行う１形態を示す。
【００９０】
読み取りを開始する前に、使用者は自己装置の操作ボード又はキーボードを用いて、読み取り対象の原稿を過去に印刷したときの蓄積画像およびプリント設定情報を保存している画像処理装置から該蓄積画像およびプリント設定情報を取得する。この取得において使用者はまず、自己装置において、蓄積画像閲覧を操作ボード又はキーボードで選択する。これに応答して自己装置のシステムコントローラが、複写機５００，５０１，５０６，５０７およびパソコン５０９ａ，５０９ｂのそれぞれが保持する蓄積情報の識別情報のリストを収集して利用者が判読できる内容で自己装置に表示する。この表示には、自己装置が保持するものも含まれる。使用者は識別情報リストから、読み取る原稿の蓄積画像を選択する（１１０１，１１０２）。自己装置の操作パネル制御装置６３１の入力装置６１４から入力された選択信号をＣＰＵ６１７が処理しコマンドに変換して、システムコントローラＩ／Ｆ６０７を経てＣＰＵ６０５に送る。
【００９１】
ＣＰＵ６０５は、コマンドが蓄積画像の選択であることを解釈しコマンドに付加されているパラメータより、蓄積画像を保持する画像処理装置および該蓄積画像を特定して、該画像処理装置（のＨＤＤおよびＮＶＲＡＭ）から該蓄積画像およびそのプリント設定情報を読み出して、自己装置のＲＡＭ６０３に書込む（１１０３）。その後の処理は、上述の「Ｄ．裏写り消去処理４」（図８のステップ１１０２〜１１０９）と同様である。
【００９２】
【発明の効果】
両面原稿を以前に印刷した時の印刷設定とその画像に基づいて裏画像相当の画像が復元されて、今回読取る両面原稿の読み取り面の裏面像の除去に用いられるので、裏面の画像読み取りをしなくても、裏写り消去を行うことができる。原稿の用紙の透光性が高いときには、裏面の画像読み取りをしても、表画像と裏画像の区別がつきにくいので裏写り消去が難しいが、本発明によれば、原稿の用紙の透光性が高いときでも効果的に裏写り消去をすることができる。
【図面の簡単な説明】
【図１】本発明の一実施例のフルカラーデジタル複写機の機構部を示す縦断面図である。
【図２】図１に示す原稿スキャナ３００の機後部を示す拡大縦断面図である。
【図３】図１に示す複写機の画像処理システムの概要を示すブロック図である。
【図４】図３に示すシステムコントローラ６３０の、画像プリントのときの画像データおよびプリント設定情報の蓄積処理の概要を示すフローチャートである。
【図５】図３に示すシステムコントローラ６３０の、原稿画像読み取り時の裏写り消去処理とそれに続く画像プリント処理の概要を示すフローチャートである。
【図６】図３に示すシステムコントローラ６３０の、複数の原稿を集約印刷するときの、裏画像を自動割当てする裏写り消去処理とそれに続く画像プリント処理の概要を示すフローチャートである。
【図７】図３に示すシステムコントローラ６３０の、複数の原稿を集約印刷するときの、裏画像を手動割当てする裏写り消去処理とそれに続く画像プリント処理の概要を示すフローチャートである。
【図８】図３に示すシステムコントローラ６３０の、原稿画像読み取り時の裏写り消去処理とそれに続く画像プリント処理の概要を示すフローチャートである。
【図９】表面の画像を読み取る原稿の表，裏面１００，１０１と、読み取った画像１０２と、ＨＤＤに蓄積している裏面画像１０３と、読み取った画像から裏写り画像を消去した出力画像１０４を示す平面図である。
【図１０】複数枚の原稿の画像を一枚の転写紙に集約形成する場合の、転写紙上の画像配置を示す斜視図である。
【図１１】複数枚の原稿の画像を一枚の転写紙に集約形成する場合の、転写紙上の画像配置のもう１つの態様を示す斜視図である。
【図１２】表面の画像を読み取る原稿の表，裏面１００，１０１と、読み取った画像１０２と、ＨＤＤに蓄積している原裏面画像１０３と、読み取った画像から裏写り画像を消去した出力画像１０４を示す平面図である。
【図１３】図１に示す複写機と同じ仕様の複数台の複写機と、原稿スキャナ，プリンタおよびパソコンをＬＡＮに接続したネットワークを示すブロック図である。
【図１４】図１３に示す複写機５００，５０１，５０６，５０７およびパソコン５０９ａ，５０９ｂのシステムコントローラの、原稿画像読み取り時の裏写り消去処理とそれに続く画像プリント処理の概要を示すフローチャートである。
【図１５】図１３に示す複写機５００，５０１，５０６，５０７およびパソコン５０９ａ，５０９ｂのシステムコントローラの、複数の原稿を集約印刷するときの、裏画像を自動割当てする裏写り消去処理とそれに続く画像プリント処理の概要を示すフローチャートである。
【図１６】図１３に示す複写機５００，５０１，５０６，５０７およびパソコン５０９ａ，５０９ｂのシステムコントローラの、複数の原稿を集約印刷するときの、裏画像を手動割当てする裏写り消去処理とそれに続く画像プリント処理の概要を示すフローチャートである。
【図１７】図１３に示す複写機５００，５０１，５０６，５０７およびパソコン５０９ａ，５０９ｂのシステムコントローラの、原稿画像読み取り時の裏写り消去処理とそれに続く画像プリント処理の概要を示すフローチャートである。
【符号の説明】
１００：両面原稿の表面　１０１：１００の裏面
１０２：１００の面を読み取った時に１０１が裏写りした例
１０３：１００，１０１の原稿を印刷した時の蓄積画像
１０４：１０２に１０３の画像を除去し裏写り抑制を施した画像例
２００，２０５：原稿１　２０１，２０６：原稿２
２０２，２０７：原稿３　２０３，２０８：原稿４
２０４：４枚の原稿を原稿順に１枚の転写紙に集約した例
２０９：４枚の原稿を任意の順に１枚の転写紙に集約した例
２３０：基準白板　　　　２３１：原稿台ガラス
２３２：照明ランプ　　　２３３：第１ミラー
２３４：第２ミラー　　　２３５：第３ミラー
２３６：レンズ　　　　　２３７：ＣＣＤ
２３８：走行体モーター　２４１：駆動ローラ
２４２：従動ローラ一　　２４３：搬送ベルト
２４４：テンションローラ　２４５：原稿トレイ
２４６：付着チャージャ　２４７：分離チャージャ
２４８：排紙トレイ　　　２４９：白色ローラ
２５０：密着イメージセンサ
３００：原稿スキャナ　　３０１：操作ボード
３０２：第１給紙トレイ　３０３：第２給紙トレイ
３０４：第３給紙トレイ　３０５：第４給紙トレイ
３０６：手差し給紙トレイ　３０７：定着装置
３０８：両面搬送ユニット　３０９：転写ユニット
３１０：タンデム方式フルカラー現像ユニット
３１１：光学書き込みユニット
３１２：フィニッシャ　　４００：両面原稿の片側
４０１：４００の反対側
４０２：４００の面を読み取った時に４０１が裏写りした例
４０３：４００，４０１の原稿を印刷した時の蓄積画像
４０４：４０２に４０５の画像を除去し裏写り抑制を施した画像例
４０５：４０３を４０１と同じになるように画像調整した例
５００，５０１，５０６，５０７：複合機能複写機
５０２，５０４：原稿スキャナ
５０３，５０５：プリンタ
５０９ａ，５０９ｂ：プリンタ
【図１】
2004040143.tif 000003
【図２】
2004040143.tif 000004
【図３】
2004040143.tif 000005
【図４】
2004040143.tif 000006
【図５】
2004040143.tif 000007
【図６】
2004040143.tif 000008
【図７】
2004040143.tif 000009
【図８】
2004040143.tif 000010
【図９】
2004040143.tif 000011
【図１０】
2004040143.tif 000012
【図１１】
2004040143.tif 000013
【図１２】
2004040143.tif 000014
【図１３】
2004040143.tif 000015
【図１４】
2004040143.tif 000016
【図１５】
2004040143.tif 000017
【図１６】
2004040143.tif 000018
【図１７】
2004040143.tif 000019